(57)【要約】      （修正有）【課題】場所に制約されることなく、釣り竿を垂直状態で安定的に保持することができる釣り竿立具を提供する。【解決手段】背面に粘着層が設けられた固定板の正面側に、釣り竿の手元部が挿入可能で、上端部が開口されると共に下端部が閉鎖された保持中空部を有した支持筒部を設ける。固定板の正面側にフック部を設け、釣り竿から繰り出される道糸の先端に取付けられた釣り針を係止する。被固定物に対して固定板を、支持筒部の保持中空部軸線が上下方向を向くように粘着して固定し、支持筒部の保持中空部内に釣り竿の手元部を挿入して釣り竿をほぼ垂直状態で立て掛け可能にすると共に釣り針をフック部に係止可能にする。【選択図】図３
0003156366.tif 000002
【実用新案登録請求の範囲】
【請求項１】
背面に粘着層が設けられた固定板と、
該固定板の正面側に一体に設けられ、釣り竿の手元部が挿入可能で、上端部が開口されると共に下端部が閉鎖された保持中空部を有した支持筒部と、
固定板の正面側に設けられ、釣り竿から繰り出される道糸の先端に取付けられた釣り針を係止するフック部と、
を備え、被固定物に対して固定板を、支持筒部の保持中空部軸線が上下方向を向くように粘着して固定し、上記支持筒部の保持中空部内に釣り竿の手元部を挿入して該釣り竿をほぼ垂直状態で立て掛け可能にすると共に釣り針を上記フック部に係止可能にする釣り竿立具。
【請求項２】
請求項１において、上記固定板及び支持筒部は、合成樹脂により一体成形した釣り竿立具。
【請求項３】
請求項１において、支持筒部の上端開口部内周面及び外周面には、弾性シートが取付けられた釣り竿立具。
【請求項４】
請求項１において、支持筒部の下端部は、キャップを取り付けて閉鎖可能にすると共に該キャップの中心部に水抜き孔を設けた釣り竿立具。
【請求項５】
請求項１において、固定板には、保持中空部の内径が同一または異なる複数個の支持筒部を並列して固着した釣り竿立具。
【請求項６】
請求項１において、被固定物は、クーラボックスとした釣り竿立具。
【考案の詳細な説明】
【技術分野】
【０００１】
本考案は、釣りの最中に休憩等で釣りを一時的に中断する際に釣り竿を垂直状に立て掛けて保持する釣り竿立具に関する。
に関する。
【背景技術】
【０００２】
釣りをしている際に、休憩等で釣りを一時的に中断する場合には、他の釣り人の歩行の邪魔にならないようにしたり、他の釣り竿からの道糸が絡み合わないようにするには、釣り竿をほぼ垂直に立て掛けて保持する必要がある。従来の釣り竿立具としては、例えば特許文献１に示すように外周面に多数の貫通孔が形成され、内部に釣り竿の根元が挿入される中空部を有した釣り竿支持具の下部に支持棒を設け、釣り竿支持具がほぼ垂直状になるように上記支持棒を地面等に突き刺した後、釣り竿支持具の中空部内に釣り竿の根元を挿入してほぼ垂直状態に立て掛けると共に道糸の先端に取付けられた釣り針を貫通孔内に係止して保持している。
【０００３】
該釣り竿立具は、釣り竿をほぼ垂直状態で保持することにより釣り竿の実質的な専有面積を少なくして他の釣り人の歩行等の邪魔にならないようにすると共に道糸相互が絡み合うのを防止している。
【０００４】
しかし、上記釣り竿立具は、支持棒を地面等に突き刺して釣り竿支持具を垂直状態にしているが、例えばコンクリート製の堰堤等にあっては、支持棒を突き刺すことができず、従って釣り竿をほぼ垂直状態で保持することができなかった。この結果、上記した釣り竿立具は、使用できる場所が限られていた。
【０００５】
また、上記釣り竿立具は、支持棒を地面等に突き刺して垂直状体に保持するため、釣り竿支持具を強固に固定することが困難であった。このため、例えば風が強い場合には、垂直状態に保持された釣り竿に作用する風圧で釣り竿支持具が倒れ易く、釣り竿を垂直状で安定的に保つことができない問題を有している。
【先行技術文献】
【特許文献】
【０００６】
【特許文献１】特開平１１−５６１８９公報
【考案の概要】
【考案が解決しようとする課題】
【０００７】
解決しようとする問題点は、釣り竿を垂直状態で保持するには、支持棒が突き刺しできる場所的が限定される点にある。また、垂直に立てた釣り竿に作用する風圧等で釣り竿が倒れ易く、垂直状態で安定的に保持できない点にある。
【課題を解決するための手段】
【０００８】
本考案は、背面に粘着層が設けられた固定板と、該固定板の正面側に一体に設けられ、釣り竿の手元部が挿入可能で、上端部が開口されると共に下端部が閉鎖された保持中空部を有した支持筒部と、固定板の正面側に設けられ、釣り竿から繰り出される道糸の先端に取付けられた釣り針を係止するフック部と、を備え、被固定物に対して固定板を、支持筒部の保持中空部軸線が上下方向を向くように粘着して固定し、上記支持筒部の保持中空部内に釣り竿の手元部を挿入して該釣り竿をほぼ垂直状態で立て掛け可能にすると共に釣り針を上記フック部に係止可能にしたことを最も主要な特徴とする。
【考案の効果】
【０００９】
本考案は、場所的に制約されることなく、釣り竿を垂直状態に立て掛けて保持して他の釣り人の歩行等の邪魔になるのを防止することができる。また、垂直に立てた釣り竿に作用する風圧等で釣り竿が容易に倒れるのを防止し、垂直状態で安定的に保持することができる。
【図面の簡単な説明】
【００１０】
【図１】釣り竿立具の全体斜視図である。
【図２】図１におけるＡ−Ａ線の縦断面図ある。
【図３】釣り竿立具をクーラボックスに取付けた状態を示す説明図である。
【図４】釣り竿立具による釣り竿の保持状態を示す説明図である。
【図５】釣り竿立具の変更例を示す説明図である。
【考案を実施するための形態】
【００１１】
本考案は、被固定物に対して固定板を、支持筒部の保持中空部軸線が上下方向を向くように粘着して固定し、上記支持筒部の保持中空部内に釣り竿の手元部を挿入して該釣り竿をほぼ垂直状態で立て掛け可能にすると共に釣り針を上記フック部に係止可能にしたことを最良の形態とする。
【実施例１】
【００１２】
以下、実施例を示す図に従って本考案を説明する。
図１及び図２に示すように、釣り竿立具１は、被固定物としてのクーラボックス３の側面に固定される固定板５と、該固定板５に固定または一体に設けられる支持筒部７とから構成される。これら固定板５及び支持筒部７は、合成樹脂材からなり、それぞれ別体に形成された各部材５，７を接着剤により固着した構成、またはこれらを一体成形した構成のいずれであってもよい。また、支持筒部７にあっては、例えばステンレスパイプ、アルミパイプであってもよい。
【００１３】
固定板５は、クーラボックス３の側面に貼着して後述する釣り竿９を垂直状態で保持する際に、充分な貼着強度が得られる大きさで、その正面形状は、図示の四角形状に限定されるものではなく、楕円形状、円形状等のいずれの形状であってもよい。また、固定板５の背面には、例えば両面テープからなる粘着層５ａが設けられ、該粘着層５ａを介してクーラボックス３に釣り竿立具１が固定される。
【００１４】
上記支持筒部７は、上部及び下部が固定板５の上端及び下端から所望の長さで突出する垂直長さで、保持される釣り竿９の手元部９ａが挿入可能な内径で、上端部及び下端部が開口した円筒状の保持中空部７ａを有している。上記支持筒部７は、図示の例では外形状を半円筒形状としたが、これに限定されるものではなく、外形状が円柱形状、四角柱形状、多角柱形状等のいずれであってもよい。
【００１５】
上記支持筒部７の上端部には、例えばエラストマー樹脂、ゴム等からなり、上端開口部の外面及び内面に挿嵌可能に折り返しされた弾性体としてのクッション材１１が固着されている。また、支持筒部７の下端部には、上記クッション材１１と同様の材質からなり、中心部に水抜き孔１３ａが形成された閉鎖キャップ１３が取付けられている。
【００１６】
なお、クッション材１１及び閉鎖キャップ１３は、支持筒部７の上端開口部及び下端開口部に接着して固着する構成、または支持筒部７の上端部及び下端部にエラストマー樹脂を一体成形してクッション材１１及び閉鎖キャップ１３を一体形成する構成であってもよい。
【００１７】
上記固定板５における正面上部の側部には、釣り針１５を掛け止めするフック１７が設けられている。該フック１７としては、固定板５に対して別体のフック１７を固着する構成、固定板５及び支持筒部７を合成樹脂で一体成形する際に、フック１７を一体成形する構成のいずれであってもよい。
【００１８】
次に、釣り竿立具１の使用例を図３及び図４に従って説明する。
本例の釣り竿立具１は、釣った魚等を保冷して持ち運ぶ際に使用するクーラボックス３の側面に対し、支持筒部７の保持中空部７ａ軸線が垂直方向を向くように粘着層５ａを介して固着して取付ける。
【００１９】
そして、例えば釣りの途中で休憩等する際には、釣り竿９を水平状態に伸ばしたままの状態では、他の釣り人の歩行等の邪魔なる恐れがあり、釣り竿９を垂直状態にして立て掛ける必要がある。この場合、支持筒部７の保持中空部９ａ内に釣り竿９の手元部９ａを挿入して釣り竿９をほぼ垂直状態にさせると共に釣り竿９の穂先から繰り出されたり、または取付けられた道糸１９の先端に取付けられた釣り針１５をフック１７に掛け止めさせる。
【００２０】
これにより釣り竿９をほぼ垂直状態で保持して平面における釣り竿９の専有面積を少なくして他の釣り人の歩行等に障害になるのを防止すると共に道糸１９が乱れて釣り針１５が釣り人等に引っかかったり、他の道糸１９に絡まるのを防止することができる。
【００２１】
上記したクーラボックス３は、釣りをする際に、多くの場合は、一緒に携行するもので、該クーラボックス３に対して釣り竿立具１を固着して釣り竿９をほぼ垂直状態で保持するため、釣り場の状態、即ち、地面であるか堰堤等のコンクリートであるかによって制約されることなく、釣り竿９をほほ垂直状態に立て掛けて保持することができる。
【００２２】
なお、穂先に道糸１９を取付けた釣り竿９にあっては、道糸１９が釣り竿９より長く、釣り針１５をフック１７に係止した場合であっても、道糸１９が弛んだ状態になり、他の釣り人等に引っかかったりする恐れがある。このような場合には、例えばクーラボックス３の出っ張り個所に道糸１９を引っかけた状態で釣り針１５をフック１７に係止することにより道糸１９の弛みを少なくすることができる。
【００２３】
上記説明は、固定板５に１個の支持筒部７を一体化して１本の釣り竿９の垂直状態で保持する構成としたが、本発明にあっては、図５（図５は、保持中空部の内径が異なる２個の支持筒部を設けた例を示す。）に示すように、固定板５に対し、保持中空部７ａの内径が同一、または内径が異なる複数個の支持筒部７を取り付け、同時に複数本の釣り竿９を垂直状態で保持する構成であってもよい。
【符号の説明】
【００２４】
１  釣り竿立具
３  被固定物としてのクーラボックス
５  固定板
５ａ  粘着層
７  支持筒部
７ａ  保持中空部
９  釣り竿
９ａ  手元部
１１  クッション材
１３  閉鎖キャップ
１３ａ  水抜き孔
１５  釣り針
１７  フック
１９  道糸
【図１】
0003156366.tif 000003
【図２】
0003156366.tif 000004
【図３】
0003156366.tif 000005
【図４】
0003156366.tif 000006
【図５】
0003156366.tif 000007